(57)【要約】      （修正有）【課題】より容易に、適切にディスプレイスクリーン上に取り付けることができるスクリーン保護シートを提供する。【解決手段】位置合わせタブ１４は、スクリーン保護シート本体の左側部に隣接して配置され、左端部は、携帯型ゲーム機１００のディスプレイスクリーン１０２の左側部に形成された十字型カーソルキー１０３に、少なくとも部分的に整合する形状を有する。スクリーン保護シート本体は、位置合わせタブ１４が、左端部と携帯型ゲーム機１００の十字型カーソルキー１０３とを整合させた状態で、スクリーン保護シート本体と、ディスプレイスクリーン１０２とが一致するような位置に配置される。【選択図】図８
0003157140.tif 000002
【実用新案登録請求の範囲】
【請求項１】
上部層となる表面保護材と、下部層となるスクリーン保護シート本体および位置合わせタブと、を備え、スクリーン保護シート本体の裏面に粘着材が塗布され、前記スクリーン保護シート本体が、携帯型ゲーム機のディスプレイスクリーン上に密着することで、当該携帯型ゲーム機のディスプレイスクリーンを保護するスクリーン保護シートであって、
前記位置合わせタブは、前記スクリーン保護シート本体の一方の側部に隣接して配置され、その一方の端部が、前記携帯型ゲーム機のディスプレイスクリーンの一方の側部に形成されたキースイッチに、少なくとも部分的に整合する形状を有し、
前記スクリーン保護シート本体は前記携帯型ゲーム機のディスプレイスクリーンと同じサイズであり、前記位置合わせタブが、その一方の端部と前記携帯型ゲーム機の前記キースイッチとを整合させた状態で、前記スクリーン保護シート本体と、前記ディスプレイスクリーンとが一致するような位置に配置され、
前記表面保護材は、前記スクリーン保護シート本体および位置合わせタブと一致する形状を有する本体と、前記本体の他方の側部に取り付けられた、当該他方の側部に突出する手持ちタブと、を有し、かつ、前記表面保護材と、前記スクリーン保護シート本体および位置合わせタブとは、剥離可能に密着していることを特徴とする携帯型ゲーム機のスクリーン保護シート。
【請求項２】
前記位置合わせタブが、前記一方の側部に隣接して、前記スクリーン保護シート本体の上側に隣接して延びる上側延長部と、前記スクリーン保護シート本体の下側に隣接して延びる下側延長部とを有し、前記上側延長部および下側延長部の垂直方向の長さは、前記ディスプレイスクリーンの外枠の垂直方向の長さに一致することを特徴とする請求項１に記載の携帯型ゲーム機のスクリーン保護シート。
【請求項３】
前記携帯型ゲーム機のキースイッチが、十字型カーソルキーであり、前記位置合わせタブの一方の端部が、前記十字型カーソルキーの少なくとも他方の側の半部と整合する形状を有することを特徴とする請求項１または２に記載の携帯型ゲーム機のスクリーン保護シート。
【請求項４】
前記携帯型ゲーム機の十字型カーソルキーが、前記携帯型ゲーム機の左側に配置され、前記位置合わせタブの左側の端部が、前記十字型カーソルキーの右半部と整合する形状を有することを特徴とする請求項３に記載の携帯型ゲーム機のスクリーン保護シート。
【考案の詳細な説明】
【技術分野】
【０００１】
本考案は、携帯型ゲーム機のディスプレイのスクリーンを保護するスクリーン保護シートに関する。
【背景技術】
【０００２】
携帯型ゲーム機などの液晶ディスプレイのスクリーンは、ガラス或いはプラスチックにて形成されており、爪や他の鋭利な器具が触れることで、その表面が傷つくおそれがある。そこで、たとえば、特許文献１、特許文献２に記載されたように、ポリエチレン樹脂、ウレタン樹脂で作られたシートの裏面に粘着材を塗布して、ディスプレイスクリーン上に貼り付けて、シートがスクリーンの表面を被うことにより、スクリーンの表面が傷つくことを防止するスクリーン保護シートが知られている。
【先行技術文献】
【特許文献】
【０００３】
【特許文献１】特開２００３−６６４１９号公報
【特許文献２】特開２００５−３２６６６１号公報
【特許文献３】特開２００６−１４５９１８号公報
【考案の概要】
【考案が解決しようとする課題】
【０００４】
たとえば、特許文献１に開示されたスクリーン保護シートは、矩形の形状であり、そのサイズは、ディスプレイスクリーンのサイズより大きくなっており、ディスプレイスクリーン全体を被うようにスクリーン保護シートを貼り付けるのは難しくは無いが、貼り付ける位置や方向によって美観を損なう場合もある。特許文献２に開示されたスクリーン保護シートのサイズは、ディスプレイスクリーンのサイズと同一であるが、この場合には、スクリーン保護シートを、ディスプレイスクリーンと整合するように貼り付けるのが容易ではない。
【０００５】
特許文献３には、保護シートの平面形状より大きく、一端に取っ手（もち手）を有する装着補助シートが、保護シートの上部に張り合わされたスクリーン保護シートが開示されている。このスクリーン保護シートでは、ユーザが取っ手をもって、装着保護シートの他端とディスプレイスクリーンの側辺とを位置合わせることにより、保護シートの位置決めを容易にしたスクリーン保護シートが提案されている。
【０００６】
本考案は、スクリーン保護シートの位置をより容易に、適切に決定して、スクリーン保護シート本体をディスプレイスクリーン上に取り付けることができるスクリーン保護シートを提供することを目的とする。
【課題を解決するための手段】
【０００７】
本考案の目的は、上部層となる表面保護材と、下部層となるスクリーン保護シート本体および位置合わせタブと、を備え、スクリーン保護シート本体の裏面に粘着材が塗布され、前記スクリーン保護シート本体が、携帯型ゲーム機のディスプレイスクリーン上に密着することで、当該携帯型ゲーム機のディスプレイスクリーンを保護するスクリーン保護シートであって、
前記位置合わせタブは、前記スクリーン保護シート本体の一方の側部に隣接して配置され、その一方の端部が、前記携帯型ゲーム機のディスプレイスクリーンの一方の側部に形成されたキースイッチに、少なくとも部分的に整合する形状を有し、
前記スクリーン保護シート本体は前記携帯型ゲーム機のディスプレイスクリーンと同じサイズであり、前記位置合わせタブが、その一方の端部と前記携帯型ゲーム機の前記キースイッチとを整合させた状態で、前記スクリーン保護シート本体と、前記ディスプレイスクリーンとが一致するような位置に配置され、
前記表面保護材は、前記スクリーン保護シート本体および位置合わせタブと一致する形状を有する本体と、前記本体の他方の側部に取り付けられた、当該他方の側部に突出する手持ちタブと、を有し、かつ、前記表面保護材と、前記スクリーン保護シート本体および位置合わせタブとは、剥離可能に密着していることを特徴とする携帯型ゲーム機のスクリーン保護シートにより達成される。
【０００８】
好ましい実施態様においては、前記位置合わせタブが、前記一方の側部に隣接して、前記スクリーン保護シート本体の上側に隣接して延びる上側延長部と、前記スクリーン保護シート本体の下側に隣接して延びる下側延長部とを有し、前記上側延長部および下側延長部の垂直方向の長さは、前記ディスプレイスクリーンの外枠の垂直方向の長さに一致する。
【０００９】
また、別の好ましい実施態様においては、前記携帯型ゲーム機のキースイッチが、十字型カーソルキーであり、前記位置合わせタブの一方の端部が、前記十字型カーソルキーの少なくとも他方の側の半部と整合する形状を有する。
【００１０】
より好ましい実施態様においては、前記携帯型ゲーム機の十字型カーソルキーが、前記携帯型ゲーム機の左側に配置され、前記位置合わせタブの左側の端部が、前記十字型カーソルキーの右半部と整合する形状を有する。
【考案の効果】
【００１１】
本考案によれば、スクリーン保護シートの位置をより容易に、適切に決定して、スクリーン保護シート本体をディスプレイスクリーン上に取り付けることができるスクリーン保護シートを提供することが可能となる。
【図面の簡単な説明】
【００１２】
【図１】図１は、本実施の形態にかかるスクリーン保護シートの正面図である。
【図２】図２は、本実施の形態にかかるスクリーン保護シートの平面図である。
【図３】図３は、本実施の形態にかかるスクリーン保護シートのＡ−Ａ線断面図である。
【図４】図４は、本実施の形態にかかる表面保護材の正面図である。
【図５】図５は、本実施の形態にかかるスクリーン保護シートおよび位置合わせタブの正面図である。
【図６】図６は、本実施の形態にかかるスクリーン保護シートおよび接着面保護材の正面図であり、スクリーン保護シートの使用前の状態を示す図である。
【図７】図７は、本実施の形態にかかるスクリーン保護シートおよび接着面保護材の正面図であり、スクリーン保護シートの使用前の状態を示す平面図である。
【図８】図８は、本実施の形態にかかるスクリーン保護シートの使用状態を示す平面図である。
【図９】図９は、図８の部分拡大図である。
【図１０】図１０は、本実施の形態にかかるスクリーン保護シートの使用状態を示す平面図である。
【図１１】図１１は、本実施の形態にかかるスクリーン保護シートの使用状態を示す平面図である。
【考案を実施するための形態】
【００１３】
以下、添付図面を参照して、本考案の実施の形態について説明する。図１は、本実施の形態にかかるスクリーン保護シートの正面図、図２は、本実施の形態にかかるスクリーン保護シートの平面図、図３は、本実施の形態にかかるスクリーン保護シートのＡ−Ａ線断面図である。図１および図２に示すように、本実施の形態にかかるスクリーン保護シート１０は、上部層と下部層の２層を有している。なお、図２の平面図においては、図１における上側からスクリーンシートを見ている。したがって、図２では、上部層が図面の下側に表れている。以下、他の平面図（たとえば、図７）においても同様である。下部層はスクリーン保護シート本体１２および位置合わせタブ１４から構成される。また、上部層は表面保護材１６である。上部層である表面保護材１６と、下部層であるスクリーン保護シート１２および位置合わせタブ１４とは剥離可能に密着している。
【００１４】
スクリーン保護シート本体１２は、後述する携帯型ゲーム機のディスプレイスクリーンと一致するサイズを有している。また、スクリーン保護シート本体１２の裏面１３には、粘着材が塗布されており、使用の際に、スクリーン保護シート本体１２の裏面１３と、ディスプレイスクリーンの表面とが密着するようになっている。
【００１５】
図４は、本実施の形態にかかる表面保護材の正面図、図５は、本実施の形態にかかるスクリーン保護シートおよび位置合わせタブの正面図である。図５に示すように、スクリーン保護シート本体１２の左側部には、位置合わせタブ１４が隣接して配置される。スクリーン保護シート本体１２の上側左端部５１、下側左端部５２および左側部５３は、位置合わせタブ１４と接触している。
【００１６】
また、図５に示すように、位置合わせタブ１４は、本体３１と、その下側の辺でスクリーン保護シート本体１２の上側左端部５１と接触する上側延長部３２と、その上側の辺でスクリーン保護シート本体１２の下側左端部５２と接触する下側延長部３３とを有する。また、本体３１の左側部には、十字型の略右半部に合致する形状を有する凹部３４が形成される。本体３１の右側部は、スクリーンシート本体１２の左側部５３と接している。
【００１７】
後述するように、本体３１に形成された凹部３４の形状は、携帯型ゲーム機の左側に設けられた十字型カーソルキーの右半部の形状に整合する。また、上側延長部３２および下側延長部３３は、それぞれ、携帯型ゲーム機のディスプレイスクリーンの上側の外枠および下側の外枠に整合する位置にある。また、上側延長部３２および下側延長部３３の高さ（垂直方向の長さ）は、上記ディスプレイスクリーンの外周に設けられる外枠の幅（垂直方向の長さ）と一致する。
【００１８】
図１および図４に示すように、表面保護部材１６は、下部層であるスクリーン保護シート本体１２および位置合わせタブ１４と略一致する形状を有し、その右端でのみ、後述するように使用の際に使用者が手で持つ部分となる手持ちタブ（もち手）１８が突出している。したがって、表面保護部材１６は、その上側左端および下側左端に、上側突出部２１および下側突出部２２を有する。上側突出部２１は、位置合わせタブ１４の上側延長部３２と整合し、下側突出部２２は、位置合わせタブ１４の下側延長部３３と整合する。また、表面保護材１６には、凹部２３を有する左側延長部２０が設けられる、左側延長部２０は、凹部２３を有することで、その形状は位置合わせタブ１４の本体３１の形状と一致する。
【００１９】
表面保護部材１６においては、手持ちタブ１８を除き、その裏面に粘着材が塗布され、スクリーン保護シート本体１２および位置合わせタブ１４の表面と、剥離可能に密着している。
【００２０】
本実施の形態において、表面保護部材１６は、ポリエチレンで作られ、可撓性を有する。なお、手持ちタブ１８は使用者が持ちやすいように、より硬いプラスチック材料で作られているのが望ましい。また、表面保護部材１６の厚みは略０．０６ｍｍである。
【００２１】
スクリーン保護シート本体１２は、ポリエチレンテレフタレート（ＰＥＴ）で作られ、可撓性を有する。また、その厚みは略０．１５ｍｍである。また、位置合わせタブ１４も、ポリエチレンテレフタレート（ＰＥＴ）で作られ、可撓性を有する。また、その厚みは略０．２４ｍｍである。
【００２２】
図６は、本実施の形態にかかるスクリーン保護シートおよび接着面保護材の正面図である。また、図７は、本実施の形態にかかるスクリーン保護シートおよび接着面保護材の正面図である。前述したように、スクリーン保護シート本体１２の裏面１３には粘着材が塗布されている。したがって、使用前の段階では、粘着材が露出しないようにする必要がある。そこで、初期的には、図６および図７に示すように、スクリーン保護シート本体１２および位置合わせタブ１４を覆うようなサイズを有する接着面保護材４０が、下部層であるスクリーン保護シート本体１２および位置合わせタブ１４のさらに下部に配置される。たとえば、本実施の形態において、接着面保護材４０は、ポリプロピレンで作られ、その厚みは、０．０６ｍｍである。
【００２３】
なお、表面保護材１６、スクリーン保護シート本体１２、位置合わせタブ１４および接着面保護材４０の材料、厚みは上述したものに限定されない。
【００２４】
このように構成されたスクリーン保護シート１０の使用について以下に説明する。図８は、本実施の形態にかかるスクリーン保護シートの使用状態を示す平面図、図９は、その部分拡大図である。
【００２５】
図８および図９に示すように、携帯型ゲーム機１００は、上側本体１１０および下側本体１２０を有し、これらがヒンジを有する回転部材１１１により、回転可能に連結されている。上側本体１１０および下側本体１２０のそれぞれには、略中央に上側ディスプレイスクリーン１０１および下側ディスプレイスクリーン１０２が設けられる。下側本体１２０においては、ディスプレイスクリーン１０２の外周に外枠１０４が設けられている。また、ディスプレイスクリーン１０２の左側には、十字型カーソルキー１０３が配置されている。
【００２６】
本実施の形態においては、最終的には、スクリーン保護シート本体１２を、下側ディスプレイスクリーン１０２に密着させる。そのために、まず、使用者は、接着面保護材４０を取り外して、下部層のスクリーン保護シート本体１２の裏面１３を露出させる。この状態では、スクリーン保護シート１２は、上部層の表面保護材１６と、下部層のスクリーン保護シート本体１２および位置合わせタブ１４とが重ねられている。
【００２７】
使用者は、重ねあわされた表面保護材１６の凹部２３および位置合わせタブ１４の凹部３４と、携帯型ゲーム機１００の左側に配置された十字型カーソルキー１０３とを整合させる。前述したように、凹部２３、３４の形状は、十字型カーソルキー１０３の略右半部に合致する形状を有している。したがって、図９に示すように、重ねあわされた表面保護部材１６および位置合わせタブ１４の辺は、十字型カーソルキー１０３の右半部の辺（たとえば、符号９０、９１参照）とほぼ隙間無く接触する。
【００２８】
さらに、本実施の形態において、重ねあわされた表面保護材１６の上側突出部２１および位置合わせタブ１４の上側延長部３２と、ディスプレイスクリーン１０２の外枠１０４の上側部分とでは、その位置が一致する。同様に、重ねあわされた表面保護材１６の下側突出部２２および位置合わせタブ１４の下側延長部３３と、ディスプレイスクリーン１０２の外枠１０４の下側部分とでは、その位置が一致する。
【００２９】
本実施の形態においては、位置合わせタブ１４の凹部３４（および表面保護材１６の凹部２３）と十字型カーソルキー１０３の右半部とが整合し、かつ、位置合わせタブ１４の上側延長部３２（表面保護材１６の上側突出部２１）と、ディスプレイスクリーン１０２の外枠１０４の上側部分とが整合するとともに、位置合わせタブ１４の下側延長部３３（表面保護材１６の下側突出部２２）と、ディスプレイスクリーン１０２の外枠１０４の下側部分とが整合している場合に、スクリーン保護シート本体１２およびディスプレイスクリーン１０２の位置が一致するようになっている。
【００３０】
したがって、図８および図９に示すように、位置合わせタブ１４の凹部３４（および表面保護材１６の凹部２３）と十字型カーソルキー１０３の右半部とが整合し、かつ、位置合わせタブ１４の上側延長部３２（表面保護材１６の上側突出部２１）と、ディスプレイスクリーン１０２の外枠１０４の上側部分とが整合するとともに、位置合わせタブ１４の下側延長部３３（表面保護材１６の下側突出部２２）と、ディスプレイスクリーン１０２の外枠１０４の下側部分とが整合している状態で、使用者は、表面保護材１６の上から指などで、スクリーン保護シート本体１２を、ディスプレイスクリーン１０２上に押し付ける。
【００３１】
これにより、スクリーン保護シート本体１２とディスプレイスクリーン１０２が整合した状態で、スクリーン保護シート本体１２の裏面１３の粘着材により、スクリーン保護シート本体１２が、ディスプレイスクリーン１０２に密着する。
【００３２】
次いで、使用者は、手持ちタブ１８を持って、表面保護材１６を、スクリーン保護シート本体１２および位置合わせタブ１４から引き剥がす。図１０は、表面保護材１６が剥がされた状態を示す平面図である。その後、使用者は、左側に位置する位置合わせタブ１４を取り外す。図１１は、位置合わせタブ１４が取り外された状態を示す平面図である。
【００３３】
図１１に示すように、位置合わせタブ１４が取り外されると、スクリーン保護シート本体１２のみが、ディスプレイスクリーン１０２上に整合した状態で残る。スクリーン保護シート１２の裏面１３の粘着材により、スクリーン保護シート１２は、ディスプレイスクリーン１０２に密着している。この状態で、ディスプレイスクリーン１０２は、スクリーン保護シート１２に保護されたことになる。
【００３４】
本考案は、以上の実施の形態に限定されることなく、実用新案登録請求の範囲に記載された考案の範囲内で、種々の変更が可能であり、それらも本考案の範囲内に包含されるものであることは言うまでもない。
【００３５】
たとえば、本実施の形態においては、携帯型ゲーム機のディスプレイスクリーンの左側に、スイッチキーとして十字型カーソルキーが配置され、位置合わせ部材１４は、十字型カーソルキーの右半部と整合する形状の凹部３４を有しているがこれに限定されず、たとえば、ディスプレイスクリーンの左側にスイッチキーが配置され、位置合わせ部材の本体が、スイッチキーの左半部に整合するような形状を有していても良い。
【００３６】
また、スイッチキーは十字型カーソルキーに限定されず、ひし形であっても良い。また、位置合わせ部材が、複数のスイッチキーの部分にそれぞれ整合するような形状を有していても良い。
【符号の説明】
【００３７】
１０：スクリーン保護シート
１２：スクリーン保護シート本体
１３：スクリーン保護シートの裏面
１４：位置合わせタブ
１６：表面保護材
１８：表面保護材の手持ちタブ
２０：左側延長部
２１：上側突出部
２２：下側突出部
２３：凹部
３１：本体
３２：上側延長部
３３：下側延長部
３４：凹部
４０：接着面保護材
５１：上側左端部
５２：下側左端部
５３：左側部
【図１】
0003157140.tif 000003
【図２】
0003157140.tif 000004
【図３】
0003157140.tif 000005
【図４】
0003157140.tif 000006
【図５】
0003157140.tif 000007
【図６】
0003157140.tif 000008
【図７】
0003157140.tif 000009
【図８】
0003157140.tif 000010
【図９】
0003157140.tif 000011
【図１０】
0003157140.tif 000012
【図１１】
0003157140.tif 000013